【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
撮影により画像データを得る撮影手段と、
撮影時の場所を表す撮影位置情報を検出する位置検出手段と、
撮影時の時刻情報を検出する時刻検出手段と、
上記画像データ、撮影位置情報、及び時刻情報を記憶する記憶手段と、
上記撮影位置情報、時間情報及び撮影手段で撮影した画像データ数に従って上記画像データの分類方法を変更して表示する分類表示手段と、
を具備し、
上記分類表示手段は、上記撮影時の時間が所定の間隔で近接し、且つ、撮影時の場所を表す位置情報が所定の距離の関係にある複数の画像データをまとめて分類し、且つその画像データ数に従った大きさの図形で表示すると共に、画面の奥行きと視認される方向に撮影時の時刻を表し、該奥行き方向以外の方向に時間以外の撮影位置等を表して表示することを特徴とするカメラ。
【請求項２】
上記分類方法は、撮影された画像データが前回の撮影と時間、位置が離れていない場合には前回の画像データと同一のフォルダに分類し、更に上記時間、位置が離れていても単独の画像データを前回の画像データと同一のフォルダに分類することを特徴とする請求項１に記載のカメラ。
【請求項３】
上記分類表示手段は、画面の奥行きと視認される方向に撮影時の日時を表し、該奥行き方向と直交する方向に撮影地点を表し、上記画像フォルダ内の画像の数を、該フォルダを示す図形内に表示することを特徴とする請求項１に記載のカメラ。
【請求項４】
上記分類表示手段は、特定の位置を基準位置として、時間及び方向に基づいて保存された写真を、表示サイズと表示位置を変えて表示することを特徴とする請求項１に記載のカメラ。
【請求項５】
上記分類表示手段は、保存された写真の位置情報の中心となる位置を基準位置として表示することを特徴とする請求項１に記載のカメラ。
【請求項６】
上記分類表示手段は、分類に応じて表示領域を複数設け、更に各分類の時間の古いものを同じ基準点に近付くように表示することを特徴とする請求項１に記載のカメラ。
【請求項７】
被写体を撮影する撮影手段と、
上記撮影手段で撮影を行った撮影位置を検出する位置検出手段と、
撮影時の時間情報を検出する時刻検出手段と、
上記位置検出手段と上記時刻検出手段の出力に基づいて決められた基準位置として、上記撮影位置の情報、上記時間情報及び上記撮影した写真の枚数に従って、写真の情報を分類する分類手段と、
上記分類手段で分類された上記写真の情報を表示する表示手段と、
を具備することを特徴とするカメラ。
【請求項８】
上記分類手段は、上記撮影時の時間が所定の間隔で近接し、且つ、撮影時の場所が所定の距離の関係にある複数の写真をまとめて、且つその写真枚数に従った大きさの図形で分類することを特徴とする請求項７に記載のカメラ。
【請求項９】
上記撮影手段で撮影された写真を時間及び方向に基づいて保存する保存手段を更に具備し、
上記分類手段は、特定の位置を基準位置として、上記保存手段に保存された写真の情報を、表示サイズと表示位置を変えて表示することを特徴とする請求項７に記載のカメラ。
【請求項１０】
上記分類手段は、保存された写真の位置情報の中心となる位置を基準位置とすることを特徴とする請求項７に記載のカメラ。
【請求項１１】
上記表示手段は、上記分類手段による分類に応じて表示領域を複数設け、更に各分類の時間の古いものを同じ基準点に近付くように表示することを特徴とする請求項７に記載のカメラ。
【請求項１２】
上記撮影手段で撮影された画像を保存する保存手段を更に具備し、
上記表示手段は、上記保存手段で保存された画像について、画面の奥行きと視認される方向に撮影時の時刻を表し、該奥行き方向以外の方向に時間以外の少なくとも撮影位置を表し、上記奥行き方向に分布する図形の大きさに従って、上記撮影された画像の撮影時の情報を表示することを特徴とする請求項７に記載のカメラ。
【請求項１３】
上記撮影手段で撮影された画像をフォルダ毎に保存する保存手段を更に具備し、
上記表示手段は、上記保存手段で保存された画像について、画像の奥行きと視認される方向に撮影時の日時を表し、該奥行き方向と直交する方向に撮影地点を表し、上記フォルダ内の画像の情報を、該フォルダを示す図形内に表示することを特徴とする請求項７に記載のカメラ。
【手続補正２】
【補正対象書類名】明細書
【補正対象項目名】０００８
【補正方法】変更
【補正の内容】
【０００８】
すなわち請求項１に記載の発明は、撮影により画像データを得る撮影手段と、撮影時の場所を表す撮影位置情報を検出する位置検出手段と、撮影時の時刻情報を検出する時刻検出手段と、上記画像データ、撮影位置情報、及び時刻情報を記憶する記憶手段と、上記撮影位置情報、時間情報及び撮影手段で撮影した画像データ数に従って上記画像データの分類方法を変更して表示する分類表示手段と、を具備し、上記分類表示手段は、上記撮影時の時間が所定の間隔で近接し、且つ、撮影時の場所を表す位置情報が所定の距離の関係にある複数の画像データをまとめて分類し、且つその画像データ数に従った大きさの図形で表示すると共に、画面の奥行きと視認される方向に撮影時の時刻を表し、該奥行き方向以外の方向に時間以外の撮影位置等を表して表示することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項２に記載の発明は、請求項１に記載の発明に於いて、上記分類方法は、撮影された画像データが前回の撮影と時間、位置が離れていない場合には前回の画像データと同一のフォルダに分類し、更に上記時間、位置が離れていても単独の画像データを前回の画像データと同一のフォルダに分類することを特徴とする。
【手続補正６】
【補正対象書類名】明細書
【補正対象項目名】００１２
【補正方法】変更
【補正の内容】
【００１２】
請求項３に記載の発明は、請求項１に記載の発明に於いて、上記分類表示手段は、画面の奥行きと視認される方向に撮影時の日時を表し、該奥行き方向と直交する方向に撮影地点を表し、上記画像フォルダ内の画像の数を、該フォルダを示す図形内に表示することを特徴とする。
【手続補正７】
【補正対象書類名】明細書
【補正対象項目名】００１３
【補正方法】変更
【補正の内容】
【００１３】
請求項４に記載の発明は、請求項１に記載の発明に於いて、上記分類表示手段は、特定の位置を基準位置として、時間及び方向に基づいて保存された写真を、表示サイズと表示位置を変えて表示することを特徴とする。
【手続補正８】
【補正対象書類名】明細書
【補正対象項目名】００１４
【補正方法】変更
【補正の内容】
【００１４】
請求項５に記載の発明は、請求項１に記載の発明に於いて、上記分類表示手段は、保存された写真の位置情報の中心となる位置を基準位置として表示することを特徴とする。
【手続補正９】
【補正対象書類名】明細書
【補正対象項目名】００１５
【補正方法】変更
【補正の内容】
【００１５】
請求項６に記載の発明は、請求項１に記載の発明に於いて、上記分類表示手段は、分類に応じて表示領域を複数設け、更に各分類の時間の古いものを同じ基準点に近付くように表示することを特徴とする。
【手続補正１０】
【補正対象書類名】明細書
【補正対象項目名】００１６
【補正方法】変更
【補正の内容】
【００１６】
請求項７に記載の発明は、被写体を撮影する撮影手段と、上記撮影手段で撮影を行った撮影位置を検出する位置検出手段と、撮影時の時間情報を検出する時刻検出手段と、上記位置検出手段と上記時刻検出手段の出力に基づいて決められた基準位置として、上記撮影位置の情報、上記時間情報及び上記撮影した写真の枚数に従って、写真の情報を分類する分類手段と、上記分類手段で分類された上記写真の情報を表示する表示手段と、を具備することを特徴とする。
【手続補正１１】
【補正対象書類名】明細書
【補正対象項目名】００１７
【補正方法】変更
【補正の内容】
【００１７】
請求項８に記載の発明は、請求項７に記載の発明に於いて、上記分類手段は、上記撮影時の時間が所定の間隔で近接し、且つ、撮影時の場所が所定の距離の関係にある複数の写真をまとめて、且つその写真枚数に従った大きさの図形で分類することを特徴とする。
【手続補正１２】
【補正対象書類名】明細書
【補正対象項目名】００１８
【補正方法】変更
【補正の内容】
【００１８】
請求項９に記載の発明は、請求項７に記載の発明に於いて、上記撮影手段で撮影された写真を時間及び方向に基づいて保存する保存手段を更に具備し、上記分類手段は、特定の位置を基準位置として、上記保存手段に保存された写真の情報を、表示サイズと表示位置を変えて表示することを特徴とする。
【手続補正１３】
【補正対象書類名】明細書
【補正対象項目名】００１９
【補正方法】変更
【補正の内容】
【００１９】
請求項１０に記載の発明は、請求項７に記載の発明に於いて、上記分類手段は、保存された写真の位置情報の中心となる位置を基準位置とすることを特徴とする。
【手続補正１４】
【補正対象書類名】明細書
【補正対象項目名】００２０
【補正方法】変更
【補正の内容】
【００２０】
請求項１１に記載の発明は、請求項７に記載の発明に於いて、上記表示手段は、上記分類手段による分類に応じて表示領域を複数設け、更に各分類の時間の古いものを同じ基準点に近付くように表示することを特徴とする。
【手続補正１５】
【補正対象書類名】明細書
【補正対象項目名】００２１
【補正方法】変更
【補正の内容】
【００２１】
請求項１２に記載の発明は、請求項７に記載の発明に於いて、上記撮影手段で撮影された画像を保存する保存手段を更に具備し、上記表示手段は、上記保存手段で保存された画像について、画面の奥行きと視認される方向に撮影時の時刻を表し、該奥行き方向以外の方向に時間以外の少なくとも撮影位置を表し、上記奥行き方向に分布する図形の大きさに従って、上記撮影された画像の撮影時の情報を表示することを特徴とする。
【手続補正１６】
【補正対象書類名】明細書
【補正対象項目名】００２２
【補正方法】変更
【補正の内容】
【００２２】
請求項１３に記載の発明は、請求項７に記載の発明に於いて、上記撮影手段で撮影された画像をフォルダ毎に保存する保存手段を更に具備し、上記表示手段は、上記保存手段で保存された画像について、画像の奥行きと視認される方向に撮影時の日時を表し、該奥行き方向と直交する方向に撮影地点を表し、上記フォルダ内の画像の情報を、該フォルダを示す図形内に表示することを特徴とする。